(57)【要約】【課題】作業工数と部品点数が少なくて効率的にケーブルを敷設できる。【解決手段】複数の電柱１間に通信ケーブル１５を架設する架設方法である。この架設方法は、電柱１間に仮ロープ１０を架設して腕金に仮固定する工程と、仮ロープ１０に螺旋状ハンガー１１を挿入して仮ロープ１０に仮固定する工程とを備えた。更に螺旋状ハンガー１１内にメッセンジャーワイヤ１２を挿通して下側に延線させる工程と、メッセンジャーワイヤ１２を螺旋状ハンガー１１の上側に移動させて電柱の腕金に固定して螺旋状ハンガー１１を支持する工程とを備えた。仮ロープ１０の仮固定を解除して螺旋状ハンガー１１の下側に移動させ、後部に通信ケーブル１５を接続して螺旋状ハンガー１１内で仮ロープ１０を引っ張ることで通信ケーブル１５を螺旋状ハンガー１１内に架設することができる。【選択図】図５
2018164353.tif 000002
【特許請求の範囲】
【請求項１】
複数の電柱間にケーブルを架設するケーブル架設方法において、
電柱間に仮ロープを架設する工程と、
前記仮ロープに螺旋状ハンガーを挿入して前記仮ロープに仮固定する工程と、
前記螺旋状ハンガー内に吊り線を挿通して延線させる工程と、
前記吊り線を電柱に固定する工程と、
前記仮ロープにケーブルを接続して引っ張ることで前記螺旋状ハンガー内に前記ケーブルを架設する工程と、
を備えたことを特徴とするケーブル架設方法。
【請求項２】
前記仮ロープの仮固定を外して前記ケーブルを接続して前記螺旋状ハンガー内で前記仮ロープを引っ張ることで前記ケーブルを架設するようにした請求項１に記載されたケーブル架設方法。
【発明の詳細な説明】
【技術分野】
【０００１】
本発明は、通信ケーブルや電線等の各種ケーブルを電柱間に架設するためのケーブル架設方法に関する。
【背景技術】
【０００２】
一般に、電柱間に通信ケーブルや電線等の各種ケーブルを敷設する架設方法として、吊金車工法と直接敷設方法の２種類の架設方法が広く知られている。
図９に示す吊金車工法は、各電柱１間に仮ロープ２を延線させて各電柱１に１号金車３ａ、２号金車３ｂ、……等を取り付け、電柱１の間で中間吊金車３ｃを仮ロープ２に取り付ける。各吊金車を通して架設ロープ４を延線させ、架設ロープ４に接続したメッセンジャーワイヤ５を延線させて各電柱１に仮固定する。そして、各金車３ａ、３ｂ、３ｃを取り外し、メッセンジャーワイヤ５を電柱１に固定する。その後、仮ロープを撤去し、螺旋状ハンガーをメッセンジャーワイヤ５に取り付けて、ケーブルを敷設する。
【０００３】
また、図１０に示す直接敷設工法では、電柱１に１号金車３ａを取り付け、他の電柱１に保護チューブ７を順次固定する。そして、１号金車３ａを通して電柱１間に架設ロープ４を延線し、架設ロープ４に接続したメッセンジャーワイヤ５を電柱１間に延線し、仮固定する。次いで、１号金車３ａと保護チューブ７を取り外してメッセンジャーワイヤ５を電柱１に固定する。その後、吊金車工法と同様に、螺旋状ハンガーをメッセンジャーワイヤ５に取り付けてケーブルを敷設する。
【０００４】
また、特許文献１に記載されたケーブルの架設方法では、ロープを電柱間に架設し、片側の電柱にコイルを偏在させる。そして、コイルの一端部からメッセンジャーワイヤを挿入してコイルとメッセンジャーワイヤを他方側の電柱に牽引して引き延ばして係止させる。別のロープの一端部にケーブルを接続して別のロープを延線することでケーブルを電柱列全体のコイルの内側に挿入することで敷設している。
【先行技術文献】
【特許文献】
【０００５】
【特許文献１】特開２００１−２７５２１６号公報
【発明の概要】
【発明が解決しようとする課題】
【０００６】
しかしながら、上述した吊金車工法は中間吊金具で電柱間のメッセンジャーワイヤを支えるためメッセンジャーワイヤの垂れ下がりにより他の配線と干渉するおそれがある。また、仮ロープや多数の吊金車等を設置するため部品点数と作業工数が多いという欠点がある。
直接敷設工法は、吊金車工法と比較して作業工数は少ないが、中間吊金車を用いないのでメッセンジャーワイヤが２００ｍ以下に制限される等の制約があった。しかも、メッセンジャーワイヤは電柱間で垂れ下がるため他の配線と干渉する等の災害リスクが比較的高いという欠点もあった。
特許文献１に記載の架設方法は、電柱間の一方の電柱にコイルを偏在させて他方の電柱に向けてメッセンジャーワイヤと共に牽引して引き延ばすため作業に手間がかかるという欠点があった。
【０００７】
本発明は、このような課題に鑑みてなされたものであり、作業工数が少なくて効率的にケーブルを敷設できるようにしたケーブルの架設方法を提供することを目的とする。
【課題を解決するための手段】
【０００８】
本発明によるケーブル架設方法は、複数の電柱間にケーブルを架設するケーブル架設方法において、電柱間に仮ロープを架設する工程と、仮ロープに螺旋状ハンガーを挿入して仮ロープに仮固定する工程と、螺旋状ハンガー内に吊り線を挿通して延線させる工程と、吊り線を電柱に固定する工程と、仮ロープにケーブルを接続して仮ロープを引っ張ることで螺旋状ハンガー内にケーブルを架設する工程と、を備えたことを特徴とする。
本発明によれば、中間吊金車に代えて螺旋状ハンガーを仮ロープに取り付けてメッセンジャーワイヤを仮固定したりケーブルを支持したりするので垂れ下がりを防いで安全性が向上する。しかも、仮ロープでケーブルを牽引して螺旋状ハンガー内に敷設するため作業が効率的であり、少ない作業工数でケーブルを敷設できる。
【０００９】
また、仮ロープの仮固定を外してケーブルを接続して螺旋状ハンガー内で仮ロープを引っ張ることでケーブルを架設することが好ましい。
螺旋状ハンガーを架設するための仮ロープとの仮固定を外して、仮ロープでケーブルを牽引して敷設するため作業が効率的であり、少ない作業工数でケーブルを敷設できる。
【発明の効果】
【００１０】
本発明によるケーブルの架設方法によれば、螺旋状ハンガーによってメッセンジャーワイヤやケーブルを支持するので中間吊金車等を取り付ける必要がなく、メッセンジャーワイヤやケーブルの垂れ下がりを防いで安全性が向上する。そのため、部品点数と作業工数が少なくて済む。また、仮ロープをケーブルに接続して敷設するため作業が効率的であり、この点でも作業工数を削減できる。
【図面の簡単な説明】
【００１１】
【図１】本発明の実施形態による架設方法で得られたケーブル架設構造を示す図である。
【図２】ロープを電柱間に架設する第一工程の図である。
【図３】電柱間の仮ロープに螺旋状ハンガーを延線する第二工程の図である。
【図４】螺旋状ハンガー内にメッセンジャーワイヤを延線する第三工程の図である。
【図５】仮ロープで通信ケーブルを延線する第四工程の図である。
【図６】電柱に仮ロープを固定する状態を示す要部斜視図である。
【図７】変形例による仮ロープの固定治具を示す斜視図である。
【図８】図７に示す固定治具の要部拡大斜視図である。
【図９】従来例による吊金車工法を示す模式図である。
【図１０】従来例による直接敷設工法を示す模式図である。
【発明を実施するための形態】
【００１２】
以下、添付図面を参照して、本発明の実施形態による通信ケーブルの架設方法について説明する。
図１は実施形態によるケーブル架設方法で得られた通信ケーブル１５の架設構造を示す図である。本実施形態では、主として例えば低摩擦特性を有する仮ロープ１０と螺旋状に形成された螺旋状ハンガー１１と吊線となるメッセンジャーワイヤ１２と金車を用いて通信ケーブル１５の架設を行う。
螺旋状ハンガー１１は鋼線を樹脂材で被覆したものを螺旋状に形成したものであり、通信ケーブル１５の懸架に用いられる。メッセンジャーワイヤ１２は螺旋状ハンガー１１を介して通信ケーブル１５を懸架するための吊線であり、通常、複数の鋼線を撚り合わせて形成される。通信ケーブル１５は例えば通信用の光ファイバケーブルやメタルケーブルである。
【００１３】
次に本実施形態による通信ケーブル１５の架設方法について図２乃至図５により説明する。図２〜図５では２本の電柱１ａ、１ｂで説明するが、多数配列された電柱１に適用できる。図２において、所定間隔で配設された複数の電柱１を便宜的に電柱１ａ、１ｂ、…と表示する。各電柱１ａ、１ｂ、…には金属製のリング環で固定された支持部材としての腕金１６が設置され、腕金１６は例えば角筒状のパイプで構成されている。電柱１ａの腕金１６に１号金車１７を取り付け、隣接する電柱１ｂの腕金１６に２号金車１８を取り付ける。そして、１号金車１７を通して仮ロープ１０を電柱１ｂの２号金車１８、電柱１ｃの２号金車１８等に延線し、複数の電柱１間に架設する。
仮ロープ１０は各電柱１の腕金１６に仮固定する。仮固定方法として、例えば図６に示すように、腕金１６に１巻き巻回すればよい。
【００１４】
図３に示す第二工程において、螺旋状ハンガー１１を仮ロープ１０に挿入して延線して仮ロープ１０に仮固定する。この状態で仮ロープ１０は螺旋状ハンガー１１の上部に位置し、螺旋状ハンガー１１は仮ロープ１０に吊り下げられている。なお、２号金車１８はメッセンジャーワイヤ１２を延線するのに邪魔なため、螺旋状ハンガー１１を仮固定した後、電柱１ｂから取り外す。
【００１５】
つぎに、図４に示す第三工程において、図示しないリードワイヤを用いて１号金車１７を通して螺旋状ハンガー１１内に延線し、リードワイヤに接続したメッセンジャーワイヤ１２を１号金車１７に通して延線して螺旋状ハンガー１１内に設置して螺旋状ハンガー１１に仮固定する。そして、１号金車１７を取り外す。
メッセンジャーワイヤ１２は螺旋状ハンガー１１内の下部に位置するが、螺旋状ハンガー１１の螺旋状のワイヤ部分によって所定間隔で支持されるため、自身の重量で下方に垂れることを防止できる。そのため、メッセンジャーワイヤ１２が人に接触したり下方の他の配線に接触したりすることを防止でき、安全性を高めることができる。
【００１６】
図５に示す第四工程において、メッセンジャーワイヤ１２の仮固定を解除して螺旋状ハンガー１１内で上方に持ち上げて電柱１ａ、１ｂ、…にそれぞれ本固定する。そして、螺旋状ハンガー１１をメッセンジャーワイヤ１２に本固定する。一方、仮ロープ１０の腕金１６への仮固定と螺旋状ハンガー１１との仮固定は解除し、螺旋状ハンガー１１内で仮ロープ１０を下方位置に移動させる。また、電柱１ａにおいて１号金車１７に代えて１６連金車２０を腕金１６に設置し、仮ロープ１０の後端部を通信ケーブル１５に接続する。
１６連金車２０は複数の金車が円弧状に配列されて支持されたものであり、通信ケーブル１５を図示しないロールから引き出して電柱１ａに延線する際に屈曲や損傷等をしないように円弧状に湾曲させながら、図示しないロールからスムーズに引き出すガイドとすることができる。
【００１７】
そして、仮ロープ１０を引っ張ることで螺旋状ハンガー１１内から外部に引き出し、これに連動して通信ケーブル１５を１６連金車２０を介して滑らかにガイドして螺旋状ハンガー１１内に引き出して延線することができる。通信ケーブル１５は螺旋状ハンガー１１に固定する。
こうして、電柱１ａ、１ｂ間に架設したメッセンジャーワイヤ１２に固定支持された螺旋状ハンガー１１内に通信ケーブル１５を敷設することができる。その後、１６連金車２０を電柱１ａから取り外す。これにより、図１に示す電柱１間での通信ケーブル１５の架設構造が得られる。なお、図１には各電柱１に通信ケーブル１５を支持する金車が取り付けられているが、通信ケーブル１５は螺旋状ハンガー１１に支持されているため金車はなくてもよい。
【００１８】
上述したように本実施形態による通信ケーブル１５の架設方法によれば、従来の架設方法における中間吊金車に代えて、仮ロープ１０に螺旋状ハンガー１１を仮固定してメッセンジャーワイヤ１２を延線し、通信ケーブル１５を支持するため、延線段階でメッセンジャーワイヤ１２及び通信ケーブル１５が緩んで下方に撓むことを防止できる。しかも、中間吊金車のつけ外しを行う必要がないため、部品点数が削減されて作業効率が向上する。
また、螺旋状ハンガー１１を懸架するための仮ロープ１０について電柱１及び螺旋状ハンガー１１との仮固定を解除して取り外した後、螺旋状ハンガー１１内で通信ケーブル１５の延線用に再利用することができるため、新たに通信ケーブルを敷設するためのガイドロープを螺旋状ハンガー１１内に挿入する必要がない。
そのため、通信ケーブル１５の架設に要する工程数と処理時間を削減できる。しかも、中間金車や伸縮操作するコイル等を用いないため少ない部品数で架設できる。
【００１９】
なお、本発明による通信ケーブル１５の架設方法は、上述した実施形態に限定されるものではなく、本発明の要旨を逸脱しない範囲で様々な置換や変形等を適用することができる。以下に本発明の変形例について説明するが、上述した実施形態と同一または同様な部分や部材には同一の符号を用いて説明する。
【００２０】
図７及び図８は仮ロープ１０を電柱１の腕金１６に固定するための治具２２を示すものである。仮ロープ１０を腕金１６に仮固定する際、いったん締め込んだ仮ロープ１０が他の電柱１に引き延ばす際に、締め込み部が緩んでしまうことを阻止するものである。なお、仮ロープ１０は治具２２の下面側から巻回するものであり、図８は便宜上、治具２２の上下位置を反転して示している。
この治具２２は、略角筒状の腕金１６に内側筒２３と中間筒２４と外側筒２５とで三重に構成されている。内側筒２３は腕金１６に装着されており、内側筒２３の前後位置にボルト及びナットが装着されている。内側筒２３が回転してもボルト及びナットが腕金１６の角部に当接してそれ以上の回転を阻止している。
【００２１】
内側筒２３の外側に挿入した中間筒２４は内側筒２３に対して自由に回転可能であり、その表面に仮ロープ１０を自由に巻回することができる。仮ロープ１０を中間筒２４に一巻き分だけ巻回する際、中間筒２４の下側で両端側を交差させる。この仮ロープ１０の交差部に外側筒２５の切欠部２５ａを嵌合させるように外側筒２５を嵌合させる。切欠部２５ａで交差部の仮ロープ１０が係止されるため仮ロープ１０が電柱１間で緩むのを阻止できる。
【００２２】
また、上述した実施形態では、仮ロープ１０の電柱１への仮固定を外して通信ケーブル１５を接続して螺旋状ハンガー１１内で仮ロープ１０を引っ張って通信ケーブル１５を延線するようにしたが、本発明はこのような構成に限定されない。例えば、別の仮ロープ１０で通信ケーブル１５を接続し、別の仮ロープを牽引することで通信ケーブル１５を螺旋状ハンガー１１内に延線して敷設するようにしてもよい。
【符号の説明】
【００２３】
１、１ａ、１ｂ、１ｃ  電柱
１０  仮ロープ
１１  螺旋状ハンガー
１２  メッセンジャーワイヤ
１５  通信ケーブル
１６  腕金
１７  １号金車
１８  ２号金車
２２  治具
【図１】
2018164353.tif 000003
【図２】
2018164353.tif 000004
【図３】
2018164353.tif 000005
【図４】
2018164353.tif 000006
【図５】
2018164353.tif 000007
【図６】
2018164353.tif 000008
【図７】
2018164353.tif 000009
【図８】
2018164353.tif 000010
【図９】
2018164353.tif 000011
【図１０】
2018164353.tif 000012